(57)【要約】【課題】高ＮＡの光学系から射出した広角の光束を高精度に検出できるようにすること。【解決手段】投影露光装置は、投影光学系４を介して原版１のパターンを基板２に投影する。ウエハチャック８には、投影光学系４を介して入射する光を検出するセンサユニット２７が配置されている。センサユニット２７は、封止窓２１と、封止窓２１を通過した光を検出するように配置された受光素子２３とを含み、封止窓２１と受光素子２３との間に液体２４が満たされている。【選択図】図１
2005223275.tif 000002
【特許請求の範囲】
【請求項１】
投影光学系を介してパターンを基板に投影する投影露光装置であって、
前記投影光学系を介して入射する光を検出する受光素子を含むセンサユニットを備え、
前記センサユニットは、前記入射光のうち前記センサユニットに進入した光が全反射する界面を含まないように構成されている
ことを特徴とする投影露光装置。
【請求項２】
前記センサユニットは、前記受光素子が配された容器と、前記入射光を透過するとともに前記容器を密閉するための封止窓とを含み、前記封止窓と前記受光素子との間を、前記全反射が起こらない屈折率を有する媒質で満たしたことを特徴とする請求項１に記載の投影露光装置。
【請求項３】
前記媒質は、液体を含むことを特徴とする請求項２に記載の投影露光装置。
【請求項４】
前記液体は、不活性液体であることを特徴とする請求項３に記載の投影露光装置。
【請求項５】
前記液体は、ＰＦＥ（パー・フルオロ・エーテル）、ＰＦＰＥ（パー・フルオロ・ポリエーテル）、ＨＦＥ（ハイドロ・フルオロ・エーテル）およびＨＦＰＥ（ハイドロ・フルオロ・ポリエーテル）のいずれかを含むことを特徴とする請求項３に記載の投影露光装置。
【請求項６】
前記センサユニットは、前記受光素子を覆う部材を含むことを特徴とする請求項４又は５に記載の投影露光装置。
【請求項７】
前記部材は、フッ素系樹脂およびガラスのいずれかを含むことを特徴とする請求項６に記載の投影露光装置。
【請求項８】
前記センサユニットに前記液体を供給する供給部を備えたことを特徴とする請求項３乃至７のいずれか１項に記載の投影露光装置。
【請求項９】
前記センサユニットから前記液体を回収する回収部を備えたことを特徴とする請求項３乃至８のいずれか１項に記載の投影露光装置。
【請求項１０】
前記投影光学系と前記基板および前記センサユニットのいずれかとの間隙に液体を供給する液体供給部を備えることを特徴とする請求項１乃至９のいずれか１項に記載の投影露光装置。
【請求項１１】
前記投影光学系と前記基板および前記センサユニットのいずれかとの間隙に前記液体を供給する液体供給部と、前記液体を貯留するタンクとを備え、前記タンク内の前記液体が前記センサユニット及び前記液体供給部の双方に供給されることを特徴とする請求項３乃至９のいずれか１項に記載の投影露光装置。
【請求項１２】
前記基板を位置決めするための駆動手段を備え、前記駆動手段を冷却するための冷媒と前記液体とが兼用されることを特徴とする請求項３乃至９のいずれか１項に記載の投影露光装置。
【請求項１３】
前記センサユニットは前記受光素子が配された容器を含み、前記容器は前記入射光を透過する固体で満たされ、前記固体は前記入射光が全反射しない屈折率を有することを特徴とする請求項１に記載の投影露光装置。
【請求項１４】
前記固体は、フッ素系樹脂およびガラスのいずれかを含むことを特徴とする請求項１３に記載の投影露光装置。
【請求項１５】
前記センサユニットは、前記入射光の入射部に所定形状の遮光部材を有することを特徴とする請求項１乃至１４のいずれか１項に記載の投影露光装置。
【請求項１６】
前記封止窓は、所定の遮光パターンを含むことを特徴とする請求項２に記載の投影露光装置。
【請求項１７】
デバイス製造方法であって、
請求項１乃至１６のいずれか１項に記載の投影露光装置によって基板にパターンを投影する工程
を含むことを特徴とするデバイス製造方法。
【請求項１８】
光を検出する受光素子を含むセンサユニットであって、
入射光のうち前記センサユニットに進入した光が全反射する界面を含まないように構成されている
ことを特徴とするセンサユニット。
【請求項１９】
前記センサユニットは、前記受光素子が配された容器と、前記入射光を透過するとともに前記容器を密閉するための封止窓とを含み、前記封止窓と前記受光素子との間を、前記全反射が起こらない屈折率を有する媒質で満たしたことを特徴とする請求項１８に記載のセンサユニット。
【請求項２０】
前記媒質は、液体を含むことを特徴とする請求項１９に記載のセンサユニット。
【請求項２１】
前記センサユニットは前記受光素子が配された容器を含み、前記容器は前記入射光を透過する固体で満たされ、前記固体は前記入射光が全反射しない屈折率を有することを特徴とする請求項１８に記載のセンサユニット。
【請求項２２】
前記固体は、フッ素系樹脂およびガラスのいずれかを含むことを特徴とする請求項２１に記載のセンサユニット。
【請求項２３】
投影光学系を介してパターンを基板に投影する投影露光装置であって、
前記投影光学系を介して入射する光を検出する受光素子を含むセンサユニットを備え、
前記センサユニットは、前記受光素子が配された容器と、前記入射光を透過するとともに前記容器を密閉するための封止窓とを含み、
前記封止窓と前記受光素子との間を液体で満たした
ことを特徴とする投影露光装置。
【請求項２４】
投影光学系を介してパターンを基板に投影する投影露光装置であって、
前記投影光学系を介して入射する光を検出する受光素子を含むセンサユニットを備え、
前記センサユニットは前記受光素子が配された容器を含み、前記容器を前記入射光を透過する固体で満たした
ことを特徴とする投影露光装置。
【請求項２５】
前記固体は、フッ素系樹脂およびガラスのいずれかを含むことを特徴とする請求項２４に記載の投影露光装置。
【請求項２６】
デバイス製造方法であって、
請求項２３乃至２５のいずれか１項に記載の投影露光装置によって基板にパターンを投影する工程
を含むことを特徴とするデバイス製造方法。
【請求項２７】
光を検出する受光素子を含むセンサユニットであって、
前記受光素子が配された容器と、
入射光を透過するとともに前記容器を密閉するための封止窓と
を含み、
前記封止窓と前記受光素子との間を液体で満たした
ことを特徴とするセンサユニット。
【請求項２８】
光を検出する受光素子を含むセンサユニットであって、
前記受光素子が配された容器と、
前記容器に満たされた、前記入射光を透過する固体と
を含むことを特徴とするセンサユニット。
【請求項２９】
前記固体は、フッ素系樹脂およびガラスのいずれかを含むことを特徴とする請求項２８に記載のセンサユニット。
【発明の詳細な説明】
【技術分野】
【０００１】
本発明は、投影露光装置、デバイス製造方法及びセンサユニットに関する。
【背景技術】
【０００２】
半導体素子の微細化が進み、露光光源としては、高圧水銀灯のｇ線からより波長の短いｉ線へと移行し、更に、より波長の短いＫｒＦエキシマレーザ、ＡｒＦエキシマレーザへと移行してきた。また、より高い解像力を実現するためには、投影レンズのＮＡ（開口数）を大きくしなければならず、その為、焦点深度はますます浅くなる傾向にある。これらの関係は、一般に良く知られている様に、次式で表すことができる。
【０００３】
（解像力）＝ｋ１・（λ／ＮＡ）
（焦点深度）＝±ｋ２・λ／ＮＡ2
ここで、λは露光に使用する光の波長、ＮＡは投影レンズのＮＡ（開口数）、ｋ１、ｋ２は、プロセスに関係する係数である。
【０００４】
近年では、波長の短いＫｒＦ、ＡｒＦエキシマレーザが使われるようになり、更には、Ｆ２エキシマレーザやＥＵＶ光源、Ｘ線光源の使用も検討されている。また、一方では、位相シフトマスク、或は変形照明等による高解像力、高深度化技術が実用化されている。しかし、Ｆ２エキシマレーザ、ＥＵＶ光源、Ｘ線光源を利用する方法は、装置コストの増加を招く。
【０００５】
そこで、既存のＡｒＦエキシマレーザを用いた投影露光装置に対して液浸方式を適用しようとする試みがなされている。ここで、液浸方式は、投影レンズとウエハとの間の空間を高屈折率の液体で満たすことにより高い解像度と深い焦点深度を得る方法である。液浸方式の投影露光装置は、例えば、特許文献１に開示されている。
【０００６】
具体的には、液浸方式では、図１３に示すように、投影レンズの最終段の光学素子７とウエハ２との間隙に液体２５を満たす。ここで、露光光の空気中における波長をλ０、液浸に使用する液体２５の空気に対する屈折率をｎ、光線の収束半角をαとし、ＮＡ０＝ｓｉｎαとすると、液浸した場合の解像力及び焦点深度は、次式のようになる。
【０００７】
（解像力）＝ｋ１・（λ０／ｎ）／ＮＡ０
（焦点深度）＝±ｋ２・（λ０／ｎ）／（ＮＡ０）2
すなわち、液浸の効果は、露光波長を１／ｎにすることと等価であると言える。換言すると、同じＮＡの投影光学系を設計した場合、液浸により、焦点深度をｎ倍にすることができる。これは、あらゆるパターンの形状に対して有効であり、更に位相シフト法、変形照明法等と組み合わせることも可能である。
【０００８】
この効果を活用するためには、液体の純度、均一性、温度等の精密な管理が必要であり、ステップ・アンド・リピ−ト動作でウエハ上に逐次露光を行なう露光装置では、動作中に発生する液体の流動や振動を極力少なくすること、ウエハを液体内に搬入する際にウエハ表面に残留する気泡をいかにして除去するか等が重要である。
【０００９】
また、液浸方式ではない一般的な投影露光装置では、ウエハの近傍に、ウエハ上に照射される露光光の照度や露光光の照度むらを計測する照度むらセンサが搭載されていることが一般的である。また、ウエハの近傍には、キャリブレーションのために投影レンズの倍率や焦点位置変動を計測するセンサが設けられることが一般的である。
【００１０】
キャリブレーション用のセンサユニットとしては、クロム等により図４に示すような基準マークパターンが形成された石英ガラスの下に受光素子を設置したものがある。このようなセンサユニットは、次のように利用される。すなわち、レチクルに図４の基準マークと同様なパターンを設けて、このパターンを基準マーク上に投影し、基準マークを通過した光量を受光素子により計測する。フォーカスが合っているときは、レチクルに形成されたパターンの投影像と基準マークのパターンとが一致するため受光素子によって検出される光量が最大となる。フォーカスがずれると、レチクルに形成されたパターンがボケて基準マークパターン上に投影されるため、受光素子によって検出される光量が低下する。したがって、受光素子によって光量を検出しながらフォーカスを変動させ、検出光量が最大となるフォーカス位置を見つけることによりフォーカスのキャリブレーションを実行することができる。
【００１１】
また、レチクルに形成されたパターンの投影像に対してＸＹ方向に基準マークが変位すると同様に検出光量が変化する。したがって、ＸＹ方向のズレも検出することが可能である。即ち、このようなセンサユニットは、アライメント用センサユニットとしても使用可能である。この他にも、ショット内の露光むらの計測や有効光源の計測に用いられる多数の画素より構成されるラインセンサ、投影レンズの収差計測に用いられる二次元ＣＣＤなどがウエハステージに搭載される場合もある。
【００１２】
このようなセンサユニットは、計測精度等を考慮すると、液浸式投影露光装置では、ウエハと同様に、投影レンズ下に液を満たした状態（液浸状態）で使われることが望ましい。
【特許文献１】特開平０６−１２４８７３号公報
【発明の開示】
【発明が解決しようとする課題】
【００１３】
しかし、液浸状態で上記のようなセンサユニットを使用すると、以下のような問題が発生する。
【００１４】
図１２に照度むらセンサユニットの従来例を示す。照度むらセンサユニットは、封止窓２１で密閉されたセンサ容器２２の中に受光素子２３を配置し、封止窓２１の上に、ピンホールが形成された遮光部材２８を配置して構成されている。受光素子２３を密閉空間に配置しているのは、湿度等の影響を受けて受光素子２３の特性が劣化することを防止するためである。このような構造のセンサユニットに光が入射すると、スネルの法則として知られているように、空気と封止窓２１の境界面、封止窓２１とセンサユニットの内部空間との境界面で屈折が起こる。
【００１５】
センサユニットの外部空間の屈折率をｎ１、封止窓２１の屈折率をｎ２、センサユニットの内部空間の屈折率をｎ３、センサユニットの外部空間と封止窓２１との境界面に対する光の入射角をθｉ１、屈折角をθｒ１、封止窓２１とセンサユニットの内部空間との境界面に対する光の入射角をθｉ２、屈折角をθｒ２とすると、スネルの法則より、
ｎ２・ｓｉｎ（θｉ２）＝ｎ３・ｓｉｎ（θｒ２）
が成り立つ。したがって、
ｓｉｎ（θｒ２）＝（ｎ２／ｎ３）・ｓｉｎ（θｉ２）
の関係が得られ、ｎ２＞ｎ３の場合には、ｓｉｎ（θｉ２’）＝ｎ３／ｎ２で定義されるθｉ２’（臨界角）以上の入射角で入射する光は、屈折せずに全反射を起こす。
【００１６】
投影レンズのＮＡは、
ＮＡ＝ｎ１・ｓｉｎ（θｉ１）
で求められる。
【００１７】
液浸式ではない一般的な投影露光装置では、センサユニットの外部空間は空気なので、屈折率ｎ１＝１である。屈折率が１の場合、ＮＡは１．０未満であり、実際には、大きくても０．９程度である。ＮＡ＝０．８３とした場合、入射角θｉ１＝５６．４４°である。封止窓２１の材質が石英ガラスとすると、屈折率ｎ２＝１．５６である。スネルの法則より、センサユニットの外部空間と封止窓２１との境界面での屈折角θｒ１＝３２．２９°である。θｒ１＝θｉ２の関係より、封止窓２１とセンサユニットの内部空間との境界面に対する光の入射角θｉ２もθｉ２＝３２．２９°である。封止窓とセンサユニットの内部空間との境界面での臨界角θｉ２’は、
ｓｉｎθｉ２’＝ｎ３／ｎ２＝１／１．５６＝０．６４
である。したがって、θｉ２’＝３９．９°となり、θｉ２’＞θｉ２となるので全反射にはならず、光は受光素子表面まで到達することができる。
【００１８】
一方、液浸式の投影露光装置では、センサユニットの外部空間は液体で満たされる。ここでは、液体として純水を想定する。純水の屈折率は１．４４である。上記の例で屈折率ｎ１＝１．４４とすると、入射角θｉ１＝５６．４４°であり、屈折率ｎ２＝１．５６であるので、スネルの法則より、センサユニットの外部空間と封止窓２１との境界面での屈折角θｒ１＝５０．２８°である。θｒ１＝θｉ２の関係より、封止窓２１とセンサユニットの内部空間との境界面に対する光の入射角θｉ２もθｉ２＝５０．２８°となる。封止窓２１とセンサユニットの内部空間との境界面での臨界角θｉ２’は、上記と同様に、
ｓｉｎθｉ２’＝ｎ３／ｎ２＝１／１．５６＝０．６４
である。したがって、θｉ２’＝３９．９°となり、θｉ２’＜θｉ２となるので全反射となってしまう。したがって、入射角が３９．９°〜５０．２８°の範囲の光は境界面で全反射して受光素子の表面に到達し得ないので、全光束を用いた正確な計測をすることができないという問題がある。このような問題は、照度むらセンサユニットに留まらず、前述したキャリブレーション用センサユニットその他に対しても同様な悪影響を及ぼす。
【００１９】
以上の議論は液浸式投影露光装置における問題に関するが、高ＮＡの投影露光装置では、液浸式でない従来方式でもセンサユニットの計測精度を劣化させる要因があった。一般的に光センサは受光面に対する光の入射角に応じて感度が変化するという特性をもっている。したがって、従来方式の投影露光装置では、光の全反射なしに全光束が受光素子まで到達するが、センサの受光面に対する入射角の大きい光が存在するため、感度の角度特性の影響を受けて正確な光量計測が行なえないという問題があった。
【００２０】
これらの問題は、センサ上に複雑な光学系を構成することにより対処することも可能であるが、ウエハを保持して高速で移動するステージ上にセンサユニットが搭載されることを考えると、重量的にもスペース的にも実現は非常に困難である。
【００２１】
本発明は、上記の課題認識を基礎としてなされたものであり、高ＮＡの光学系から射出した広角の光束を高精度に検出できるようにすることを主たる目的とする。
【課題を解決するための手段】
【００２２】
本発明の第１の側面は、投影光学系を介してパターンを基板に投影する投影露光装置に係り、該装置は、前記投影光学系を介して入射する光を検出する受光素子を含むセンサユニットを備え、前記センサユニットは、前記入射光のうち前記センサユニットに進入した光が全反射する界面を含まないように構成されている。
【００２３】
本発明の好適な実施形態によれば、前記センサユニットは、前記受光素子が配された容器と、前記入射光を透過するとともに前記容器を密閉するための封止窓とを含むことができ、前記封止窓と前記受光素子との間が、前記全反射が起こらない屈折率を有する媒質で満たされうる。
【００２４】
本発明の好適な実施形態によれば、前記媒質は、液体を含みうる。前記液体は、例えば、不活性液体を含みうる。前記液体は、例えば、ＰＦＥ（パー・フルオロ・エーテル）、ＰＦＰＥ（パー・フルオロ・ポリエーテル）、ＨＦＥ（ハイドロ・フルオロ・エーテル）およびＨＦＰＥ（ハイドロ・フルオロ・ポリエーテル）のいずれかを含みうる。
【００２５】
本発明の好適な実施形態によれば、前記センサユニットは、前記受光素子を覆う部材を含みうる。前記部材は、フッ素系樹脂およびガラスのいずれかを含みうる。
【００２６】
本発明の好適な実施形態によれば、前記露光装置は、前記センサユニットに前記液体を供給する供給部を備えうる。
【００２７】
本発明の好適な実施形態によれば、前記露光装置は、前記センサユニットから前記液体を回収する回収部を備えうる。
【００２８】
本発明の好適な実施形態によれば、前記露光装置は、前記投影光学系と前記基板および前記センサユニットのいずれかとの間隙に液体を供給する液体供給部を備えうる。
【００２９】
本発明の好適な実施形態によれば、前記露光装置は、前記投影光学系と前記基板および前記センサユニットのいずれかとの間隙に前記液体を供給する液体供給部と、前記液体を貯留するタンクとを備えることができ、前記タンク内の前記液体が前記センサユニット及び前記液体供給部の双方に供給されうる。
【００３０】
本発明の好適な実施形態によれば、前記露光装置は、前記基板を位置決めするための駆動手段を備えることができ、前記駆動手段を冷却するための冷媒と前記液体とが兼用されうる。
【００３１】
本発明の好適な実施形態によれば、前記センサユニットは前記受光素子が配された容器を含むことができ、前記容器が前記入射光を透過する固体で満たされ、前記固体が前記入射光が全反射しない屈折率を有することができる。前記固体は、フッ素系樹脂およびガラスのいずれかを含みうる。
【００３２】
本発明の好適な実施形態によれば、前記センサユニットは、前記入射光の入射部に所定形状の遮光部材を有しうる。前記封止窓は、所定の遮光パターンを含みうる。
【００３３】
本発明の第２の側面は、デバイス製造方法に係り、上記の投影露光装置によって基板にパターンを投影する工程を含む。
【００３４】
本発明の第３の側面は、光を検出する受光素子を含むセンサユニットに係り、該センサユニットは、入射光のうち前記センサユニットに進入した光が全反射する界面を含まないように構成されている。
【００３５】
本発明の好適な実施形態によれば、前記センサユニットは、前記受光素子が配された容器と、前記入射光を透過するとともに前記容器を密閉するための封止窓とを含むことができ、前記封止窓と前記受光素子との間が、前記全反射が起こらない屈折率を有する媒質で満たされうる。
【００３６】
本発明の好適な実施形態によれば、前記媒質は、液体を含みうる。
【００３７】
本発明の好適な実施形態によれば、前記センサユニットは前記受光素子が配された容器を含むことができ、前記容器は前記入射光を透過する固体で満たされ、前記固体は前記入射光が全反射しない屈折率を有しうる。
【００３８】
本発明の好適な実施形態によれば、前記固体は、フッ素系樹脂およびガラスのいずれかを含みうる。
【００３９】
本発明の第４の側面は、投影光学系を介してパターンを基板に投影する投影露光装置に係り、該露光装置は前記投影光学系を介して入射する光を検出する受光素子を含むセンサユニットを備え、前記センサユニットは、前記受光素子が配された容器と、前記入射光を透過するとともに前記容器を密閉するための封止窓とを含み、前記封止窓と前記受光素子との間が液体で満たされる。
【００４０】
本発明の第５の側面は、投影光学系を介してパターンを基板に投影する投影露光装置に係り、該露光装置は前記投影光学系を介して入射する光を検出する受光素子を含むセンサユニットを備え、前記センサユニットは前記受光素子が配された容器を含み、前記容器が前記入射光を透過する固体で満たされる。ここで、前記固体は、フッ素系樹脂およびガラスのいずれかを含みうる。
【００４１】
本発明の第６の側面は、光を検出する受光素子を含むセンサユニットに係り、該センサユニットは、前記受光素子が配された容器と、入射光を透過するとともに前記容器を密閉するための封止窓とを含み、前記封止窓と前記受光素子との間が液体で満たされる。
【００４２】
本発明の第７の側面は、光を検出する受光素子を含むセンサユニットに係り、該センサユニットは、前記受光素子が配された容器と、前記容器に満たされた、前記入射光を透過する固体とを含む。ここで、前記固体は、フッ素系樹脂およびガラスのいずれかを含みうる。
【発明の効果】
【００４３】
本発明によれば、高ＮＡの光学系から射出した広角の光束を高精度に検出することができる。
【発明を実施するための最良の形態】
【００４４】
まず、本発明の原理を説明する。図２は、本発明が適用されたセンサユニット（例えば、照度むらセンサユニット）の概略構成を示す図である。図２に示すセンサユニットは、封止窓２１で密閉されたセンサ容器２２の中に受光素子２３を配置し、センサユニットの内部空間、即ち封止窓２１と受光素子２３との間の空間を液体、例えばウエハ露光の液浸に使用する液体とほぼ同等な屈折率を持つ液体２４で満たして構成されている。封止窓２１の上に、ピンホールが形成された遮光部材２８が配置されている。このような構造のセンサユニットに光が入射すると、空気と封止窓２１との境界面、及び、封止窓２１とセンサユニットの内部空間との境界面で屈折が起こる。
【００４５】
センサユニットの外部空間の屈折率をｎ１、封止窓２１の屈折率をｎ２、センサユニットの内部空間の屈折率をｎ３、センサユニットの外部空間と封止窓２１との境界面に対する光の入射角をθｉ１、屈折角をθｒ１、封止窓２１とセンサユニットの内部空間との境界面に対する光の入射角をθｉ２、屈折角をθｒ２とする。
【００４６】
液浸式投影露光装置では、センサユニットの外部空間は液体で満たされる。ここでは、液体として純水（屈折率＝１．４４）を想定する。屈折率ｎ１＝１．４４とすると、ＮＡ＝０．８３における入射角はθｉ１＝５６．４４°であり、屈折率はｎ２＝１．５６であるので、スネルの法則よりセンサユニットの外部空間と封止窓２１との境界面での屈折角θｒ１＝５０．２８°となる。θｒ１＝θｉ２の関係より、封止窓２１とセンサユニットの内部空間との境界面に対する光の入射角θｉ２もθｉ２＝５０．２８°となる。封止窓とセンサユニットの内部空間との境界面での臨界角θｉ２’は、センサユニットの内部空間を屈折率ｎ３＝１．３４の不活性な液体で満たした場合を考えると、
ｓｉｎθｉ２’＝ｎ３／ｎ２＝１．３４／１．５６＝０．８６
を満たす。したがって、θｉ２’＝５９．２０°となり、θｉ２’＞θｉ２となるので全反射は起こらず、全入射光が受光素子２３の表面まで到達する。
【００４７】
図７は、本発明が適用された他の照度むらセンサユニットの概略構成を示す図である。図７に示すセンサユニットは、センサ容器２２の中に受光素子２３を配置し、受光素子２３をコーティング部材（固体物質）３３でコーティングし、コーティング部材３３の上に、ピンホールが形成された遮光部材２８を配置して構成されている。コーティング部材３３は、液浸に使用する液体から受光素子２３を保護するように機能し、液浸に使用する液体とほぼ同等かそれ以上の屈折率を有することが好ましい。コーティング部材３３は、センサユニット内部に空間が生じないように配置された遮光窓として把握することもできる。
【００４８】
このような構造のセンサユニットに光が入射すると、空気とコーティング部材３３との境界面で屈折が起こる。センサユニットの外部空間の屈折率をｎ１、コーティング部材３３の屈折率をｎ２、センサユニットの外部空間とコーティング部材３３との境界面に対する光の入射角をθｉ１、屈折角をθｒ１とする。液浸式投影露光装置では、センサユニットの外部空間は液体で満たされる。ここでは、液体として純水（屈折率＝１．４４）を想定する。屈折率ｎ１＝１．４４とすると、ＮＡ＝０．８３における入射角θｉ１＝５６．４４°である。コーティング部材３３の屈折率ｎ２が１．３０より大きければ全ての入射光をコーティング部材中に導き、受光素子表面に到達させることができる。
【００４９】
図２、図７に例示的に示すようなセンサユニットを液浸式投影露光装置に組み込むことにより、高ＮＡの光学系から射出してセンサユニットに入射する広角の入射光であっても、照度むら計測やキャリブレーション計測等において、高い精度で当該入射光を検出することができる。
【００５０】
また、図２、図７に例示的に示すようなセンサユニットを液浸式以外の投影露光装置に組み込んだ場合においても、照度むら計測やキャリブレーション計測等において、高い精度で入射光を検出することができる
以下、本発明の好適な実施形態を説明する。
【００５１】
［第１実施形態］
図１は、本発明の第１実施形態に係る液浸式投影露光装置の概略構成を示す図である。図１に示す露光装置は、照明光学系３によってレチクル１を照明し、レチクル１に形成された回路パターンを感光剤が塗布されたウエハ２に投影光学系４を介して投影し転写する。照明光学系３は、ウエハ２上にレチクル１の回路パターンを投影するための変形照明形成装置及び調光装置等を備えうる。レチクル１は、レチクルステージ５によって保持され、所定位置に位置決めされる。レチクル１の位置は、レチクルステージ５に設けられた参照ミラー１４を利用してレーザ干渉計１６によって計測される。また、レチクルステージ５は、駆動モータ１８によって駆動される。
【００５２】
レチクル１の回路パターンとウエハ２に既に形成されているパターンとを位置合わせするための情報は、アライメント光学系６を用いて取得される。
【００５３】
投影光学系４は、複数の光学素子を含んで構成され、それらのうち最終段の光学素子として光学素子７を有する。光学素子７の下面、すなわちウエハ２表面に対向する面は、平面形状、又は、ウエハ２表面に向かって凸となる形状に構成されることが好ましい。これは、光学素子７とウエハ２との間の空間、又は、光学素子７とセンサユニット２７との間の空間を液体で満たす際（液浸する際）に、光学素子７の表面に空気層や気泡を残留させないことに寄与する。また、液浸される光学素子７の表面、ウエハ２上の感光剤光量センサユニット２７の表面は、液浸に使用する液体２５と親和性のあるコーティングがなされることが好ましい。
【００５４】
液浸は、液体供給装置１２が光学素子７とウエハ２（又はセンサユニット２７）との間の空間に液体２５を供給することによってなされる。この液体２５は、液体回収装置１１によって回収される。
【００５５】
ウエハ２は、ウエハチャック８によって保持される。ウエハチャック８（ウエハ２）は、駆動モータ１７によって駆動されるＸＹステージ１０、及び、ＸＹステージ１０上に配置された微動ステージ９によって駆動される。微動ステージ９は、ウエハ２のθ方向位置を補正する機能、ウエハ２のＺ位置を調整する機能、及び、ウエハ２の傾きを補正するためのチルト機能を有する。
【００５６】
微動ステージ９には、Ｘ方向及びＹ方向の位置を計測するための参照ミラー１３（Ｙ方向の参照ミラーは不図示）が取り付けられており、これらを利用してレーザ干渉計１５によって微動ステージ９のＸ方向及びＹ方向の位置が計測される。フォーカス計測装置１９、２０は、ウエハ２のＺ方向の位置及びウエハ２の傾きを計測する。
【００５７】
ＸＹステージ１０、レチクルステージ５、フォーカス計測装置１９、２０等は、コントローラ２６によって制御される。
【００５８】
センサユニット２７は、この実施形態では、露光光の光量を計測する光量センサユニットとして構成されている。センサユニット２７は、封止窓２１で密閉されたセンサ容器２２内に配置された受光素子２３を有し、センサ容器２２内の空間が不活性液体２４で満たされている。センサユニット２７は、ウエハチャック８に配置されてもよいし、微動ステージ９に配置されてもよいし、露光光の光量を計測することができる限りにおいて他の場所に配置されてもよい。光量センサユニット２７の表面の封止窓２１には、ピンホールを有するパターンが形成されており、センサユニット２７は、例えば露光光の絶対照度や照度むらの計測に用いられうる。センサユニット２７の表面の光通過部分の形状（マスクの形状）を変更することにより、センサユニット２７をアライメントやキャリブレーションの用途に使用することもできる。
【００５９】
次に、図１に示す露光装置の動作を説明する。露光光の照度計測の際は、光量センサユニットとして構成されたセンサユニット２７は、ＸＹステージ１７を駆動することにより投影光学系４の中心の下に位置決めされる。次に、光学素子７とセンサユニット２７との間の空間に液体供給装置１２により液体２５を供給する。この状態で、照明光学系３によって投影光学系４を通してセンサユニット２７を露光しながら露光光の照度が計測される。液浸に使用する液体２５は、液体供給装置１２から光学素子７とセンサユニット２７との間の空間に供給されるとともに液体回収装置１１により回収される。
【００６０】
センサユニット２７のセンサ容器２２内は、液体、例えば液浸に使用する液体２５とほぼ同等な屈折率を持った不活性液体２４で満たされる。したがって、高いＮＡの投影光学系４からの露光光であってもその全てが受光素子２３まで到達し高精度な計測が可能となる。
【００６１】
次に、図１０を参照しながらウエハの露光について説明する。ウエハを露光する際には、まず、あらかじめ感光剤を塗布してあるウエハ２を不図示のウエハ搬送装置によりウエハチャック８上に搬送する。ウエハチャック８上に載せられたウエハ２は、バキューム吸着等の吸着法によって固定され、平面矯正される。次に、フォーカス計測装置１９、２０によりウエハ２の全面についてフォーカス及びチルトに関する計測がなされる。
【００６２】
次に、フォーカス及びチルトに関する計測情報に従って、微動ステージ９の位置を制御しながら、光学素子７とウエハ２との間の空間に液体供給装置１２により液体２５を供給しつつ液体回収装置１１により回収しながら、ウエハ２にレチクル１のパターンが投影され、これによってウエハ２が露光される。ウエハ２の露光が終了すると、不図示のウエハ搬送装置によりウエハチャック９上からウエハ２が回収され、一連の露光動作が終了する。
【００６３】
次に、図２を参照しながらセンサユニット２７について更に詳細に説明する。センサユニット２７は、光量センサユニットとして構成される場合は、図３に例示的に示すようなピンホールを有するパターンを構成する遮光部材２８がクロム等により表面に形成された封止窓２１によってセンサ容器２２を密閉し、センサ容器２２内に受光素子２３を配置するとともにセンサ容器２２内に不活性液体２４等の液体を満たすことにより構成されうる。
【００６４】
封止窓２１の材質としては、例えば、石英等、露光光を効率よく透過する材料が好ましい。不活性液体２４としては、例えば、ＰＦＥ（パー・フルオロ・エーテル）、ＰＦＰＥ（パー・フルオロ・ポリエーテル）、ＨＦＥ（ハイドロ・フルオロ・エーテル）、ＨＦＰＥ（ハイドロ・フルオロ・ポリエーテル）等のフッ素系不活性液体が好適である。選択の目安としては、液浸に使用する液体２５とほぼ同等の屈折率を持ち、露光光に対して良好な透過率を持ち、かつ露光光による劣化が少なく、かつ受光素子２３に対して特性劣化等を引き起こさないことが重要である。
【００６５】
ピンホールを有するパターンを形成する遮光部材２８は、例えば、貫通孔が形成された薄板を使用することができ、この薄板は、封止窓２１の表面又は近傍に配置されうる。また、アライメント計測やキャリブレーション計測に好適なセンサユニットは、ピンホールを有するパターンに代えて、例えば図４に例示的に示すような複数のバーを配列したパターンを配置することによって構成されうる。もちろん、他の用途に使用する場合は、その用途に適したパターン形状を採用すればよい。
【００６６】
封止窓２１及びセンサ容器２２は、センサユニット内部の不活性液体２４が揮発しない構造にするのが望ましい。また、図５に示すように、封止窓２１とセンサ容器２２との結合部にＯリング２９を配置して密封するような構造にすると、必要に応じて封止窓２１とセンサ容器２２とを容易に分離することができる。例えば、光量センサユニット２７をウエハチャック８に固定した構造においては、ウエハチャック８を露光装置から取り外す際に、受光素子２３と他のユニット（例えば、コントローラ２６）との間の電気配線を切り離すことが困難な場合が想定されうる。そこで、図５に示すような構成のセンサユニットにおいて、例えば、封止窓２１をウエハチャック８に取り付け、センサ容器２２を微動ステージ９に取り付けるような構造にすると、受光素子２３からの電気配線を気にせずにウエハチャック８を露光装置から取り外すことが可能となる。
【００６７】
［第２実施形態］
図６は、本発明の第２実施形態に係る液浸式投影露光装置のセンサユニットの概略構成を示す図である。センサユニット以外の装置全体の構成及び動作は、第１実施形態と同様である。図６では、光量センサユニット２７は、図３に例示的に示すようなピンホールを有するパターンを構成する遮光部材２８がクロム等により表面に形成された封止窓２１、及び、循環用ポート３２ａ、３２ｂを有するセンサ容器３２によって外部空間から内部空間を仕切っている。内部空間には、受光素子２３が配置されている。この構成例は、センサ容器３２の内部空間に不活性液体２４を供給し循環させる構造を有する。
【００６８】
外部空間には、不活性液体２４を貯留するタンク３０、タンク３０内の不活性液体２４をセンサ容器２４内に供給する送液ポンプ３１が配置されうる。不活性液体２４は、ポンプ３１により常にセンサ容器３２内を循環させることができる。或いは、不活性液体２４がセンサ容器３２内を満たした状態でポンプ３１を停止させておき、必要時にのみポンプ３１を駆動して不活性液体２４を循環させてもよい。
【００６９】
このようにセンサ容器２４内に不活性液体２４を供給可能な構成によれば、例えば、封止窓２１とセンサ容器３２との結合部（図５のようにＯリング２９があってもよい）の間に意図せずして生じうる隙間より不活性液体２４が揮発してセンサ容器３２内部が液体２５で満たされなくなった場合においても、センサ容器２４内を再び不活性液体２４で満たすことができる。また、長期間の露光光照射により不活性液体２４の組成が変化し劣化が起こった場合においても、容易に新しい液体に交換することができる。また、センサ容器３２の内壁や受光素子２３からの不純物の発生により不活性液体２４が汚染された場合においても、容易に新しい液体に交換することができる。
【００７０】
また、タンク３０にある程度の量の不活性液体２４を貯留して循環させることにより、例えば第１実施形態よりも総量の多い不活性液体２４を使用することになるので、露光光照射や不純物による不活性液体２４の劣化が抑えられるという利点もある。
【００７１】
更に、不活性液体２４としてＸＹステージ１０の冷却に用いられる冷媒を使用することも可能である。不活性液体と冷媒とを共通化することにより、センサユニット専用の送液ポンプやタンクを持つ必要がなくなるという利点がある。
【００７２】
図６に示すセンサユニットにおいて、遮光部材２８は、例えば、図３や図４に例示的に示すように用途に応じたパターン形状に変更されうる。また、封止窓２１とセンサ容器３２との結合構造は、例えば、図５に例示的に示す構成に変更されうる。
【００７３】
［第３実施形態］
図７は、本発明の第３実施形態に係る液浸式投影露光装置のセンサユニットの概略構成を示す図である。センサユニット以外の装置全体の構成及び動作は第１実施形態と同様である。
【００７４】
図７に示す構成例では、センサユニット２７は、図３に例示的に示すようなピンホールを有するパターンを構成する遮光部材２８、センサ容器２２、受光素子２３、受光素子２３を覆うようにセンサ容器２２内に満たされたコーティング部材（固体物質）３３を含む。コーティング部材３３は、液浸に使用する液体２５とほぼ同等かそれより大きな屈折率を有することが好ましく、また、露光光に対して良好な透過率を有し、かつ露光光による劣化が少なく、かつ受光素子２３に対して特性劣化等を引き起こさず、かつ液浸に使用する液体２５に対して耐性がある材料、例えば、フッ素系樹脂やガラス系の材料で構成されることが好ましい。図７に示すセンサユニットにおいて、遮光部材２８は、例えば、図３や図４に例示的に示すように用途に応じたパターン形状に変更されうる。
【００７５】
［第４実施形態］
図８は、本発明の第４実施形態に係る液浸式投影露光装置のセンサユニットの概略構成を示す図である。センサユニット以外の装置全体の構成及び動作は第１実施形態と同様である。図８に示すセンサユニット２７は、図３に例示的に示すようなピンホールを有するパターンを構成する遮光部材２８がクロム等により表面に形成された封止窓２１、センサ容器２２、受光素子２３、受光素子２３を覆うコーティング部材３３、センサ容器内に満たされた液体３４を含む。
【００７６】
コーティング部材（固体物質）３３は、センサ容器２２内に満たされた液体３４とほぼ同等かそれより大きな屈折率を有することが好ましく、また、露光光に対して良好な透過率を有し、かつ露光光による劣化が少なく、かつ受光素子２３に対して特性劣化等を引き起こさず、センサ容器内に満たされた液体３４に対して耐性がある材料、例えばフッ素系樹脂やガラス系の材質で構成されることが好ましい。
【００７７】
センサ容器２２内を満たす液体３４としては、例えば、第１、第２実施形態で提示された不活性液体でもよいし、液浸に使用する液体２５をそのまま用いてもよい。図８に示すセンサユニットにおいて、遮光部材２８は、例えば、図３や図４に例示的に示すように用途に応じたパターン形状に変更されうる。また、封止窓２１とセンサ容器３２との結合構造は、例えば、図５に例示的に示す構成に変更されうる。
【００７８】
［第５実施形態］
図９は、本発明の第５実施形態に係る液浸式投影露光装置のセンサユニット及びその周辺部の概略構成を示す図である。ここで言及する事項以外は、第１実施形態に従いうる。図９に示す光量センサユニット２７は、図３に例示的に示すようなピンホールを有するパターンを構成する遮光部材２８がクロム等により表面に形成された封止窓２１、及び、循環用ポート３２ａ、３２ｂを有するセンサ容器３２によって外部空間から内部空間を仕切った構成を有する。内部空間には、受光素子２３が配置され、受光素子２３がコーティング部材３３で覆われている。内部空間は、光学素子７とウエハ２又はセンサユニットとの間の空間に供給される液体と同一の液体２５によって満たされる。
【００７９】
液体２５は、タンク３０に貯留され、送液管４０、４２を通して送液ポンプ３１によって液体供給装置１２に供給されるとともに、送液管４０、４１、ポート３２ｂを通してセンサ容器３２内に供給される。液体供給装置１２によって光学素子７とウエハ２又はセンサユニットとの間の空間に供給された液体２５は液体回収装置１１によって回収されて送液管５２に送り出され、また、ポート３２ｂを通してセンサ容器３２に供給された液体２５はポート３２ａを通して送液管５１に送り出され、送液管５０を通してタンク３０に戻る。液体２５は、このようにして２つの経路を循環する。
【００８０】
コーティング部材３３は、センサ容器３２内に満たされる液体２５とほぼ同等かそれより大きな屈折率を有することが好ましく、また、露光光に対して良好な透過率を有し、かつ露光光による劣化が少なく、かつ受光素子２３に対して特性劣化等を引き起こさず、センサ容器内に満たされた液浸に使用する液体２５に対して耐性がある材料、例えばフッ素系樹脂やガラス系の材質で構成されることが好ましい。
【００８１】
送液管４１、５１にバルブを設けて、液体２５がセンサ容器３２内を満たした状態で該バルブを閉じることができる構成も有用であり、この場合、センサ容器３２内の液体２５を交換する場合など、必要時にのみ該バルブを開けることができる。
【００８２】
このようにセンサ容器３２内に液体２５を供給可能な構成によれば、例えば、封止窓２１とセンサ容器３２との結合部等から液体２５が揮発してセンサ容器３２内部が液体２５で満たされなくなった場合においても、センサ容器３２内を再び液体２５で満たすことができる。また、長期間の露光光照射により液体２５の組成が変化し劣化が起こった場合においても、容易に新しい液体に交換することができる。また、センサ容器３２の内壁やコーティング部材３３等からの不純物の発生により液体２５が汚染された場合においても、容易に新しい液体に交換することができる。
【００８３】
また、タンク３０にある程度の量の液体２５を貯留して循環させることにより、例えば第４実施形態よりも総量の多い液体２５を使用することになるので、露光光照射や不純物による液体２５の劣化が抑えられるという利点もある。
【００８４】
図９のセンサユニットにおいて、遮光部材２８は、例えば、図３や図４に例示的に示すように用途に応じたパターン形状に変更されうる。また、封止窓２１とセンサ容器３２との結合構造は、例えば、図５に例示的に示す構成に変更されうる。
【００８５】
また、センサ容器３２内に充填する液体を第１および第２実施形態のように不活性液体にしてもよい。この場合、液体供給装置１２、液体回収装置１１にそれぞれ通じる送液管４２、５２は省かれるのが一般的である。更に、不活性液体としてＸＹステージ１０の冷却に用いられる冷媒を使用することも可能である。不活性液体と冷媒とを共通化することにより、センサユニット専用の輸送ポンプやタンクを持つ必要がなくなるという利点がある。
【００８６】
［第６実施形態］
図１１は、本発明の第６実施形態に係る投影露光装置の構成図である。この投影露光装置は、液浸法ではなく、光学素子７とウエハとの間がガスで満たされた環境又は減圧環境の下で露光を行なう投影露光装置として構成されている。
【００８７】
図１１に示す露光装置は、照明光学系３によってレチクル１を照明し、レチクル１に形成された回路パターンを感光剤が塗布されたウエハ２に投影光学系４を介して投影し転写する。照明光学系３は、ウエハ２上にレチクル１の回路パターンを投影するための変形照明形成装置及び調光装置等を備えうる。レチクル１は、レチクルステージ５によって保持され、所定位置に位置決めされる。レチクル１の位置は、レチクルステージ５に設けられた参照ミラー１４を利用してレーザ干渉計１６によって計測される。また、レチクルステージ５は、駆動モータ１８によって駆動される。
【００８８】
レチクル１の回路パターンとウエハ２に既に形成されているパターンとを位置合わせするための情報は、アライメント光学系６を用いて取得される。
【００８９】
ウエハ２は、ウエハチャック８によって保持される。ウエハチャック８（ウエハ２）は、駆動モータ１７によって駆動されるＸＹステージ１０、及び、ＸＹステージ１０上に配置された微動ステージ９によって駆動される。微動ステージ９は、ウエハ２のθ方向位置を補正する機能、ウエハ２のＺ位置を調整する機能、及び、ウエハ２の傾きを補正するためのチルト機能を有する。
【００９０】
微動ステージ９には、Ｘ方向及びＹ方向の位置を計測するための参照ミラー１３（Ｙ方向の参照ミラーは不図示）が取り付けられており、これらを利用してレーザ干渉計１５によって微動ステージ９のＸ方向及びＹ方向の位置が計測される。フォーカス計測装置１９、２０は、ウエハ２のＺ方向の位置及びウエハ２の傾きを計測する。
【００９１】
ＸＹステージ１０、レチクルステージ５、フォーカス計測装置１９、２０等は、コントローラ２６によって制御される。
【００９２】
センサユニット２７は、この実施形態では、露光光の光量を計測する光量センサユニットとして構成されている。センサユニット２７は、封止窓２１で密閉されたセンサ容器２２内に配置された受光素子２３を有し、センサ容器２２内の空間が不活性液体２４で満たされている。センサユニット２７は、ウエハチャック８に配置されてもよいし、微動ステージ９に配置されてもよいし、露光光の光量を計測することができる限りにおいて他の場所に配置されてもよい。光量センサユニット２７の表面の封止窓２１には、ピンホールを有するパターンが形成されており、センサユニット２７は、例えば露光光の絶対照度や照度むらの計測に用いられうる。センサユニット２７の表面の光通過部分の形状（マスクの形状）を変更することにより、センサユニット２７をアライメントやキャリブレーションの用途に使用することができる。
【００９３】
次に、図１１に示す露光装置の動作説明する。露光光の照度計測の際は、光量センサユニットとして構成されたセンサユニット２７は、ＸＹステージ１７を駆動することにより投影光学系４の中心の下に位置決めされる。次に、照明光学系３によって投影光学系４を通してセンサユニット２７を露光しながら露光光の照度が計測される。
【００９４】
センサユニット２７のセンサ容器２２内には屈折率が１より大きい液体３５が満たされているので、高いＮＡの投影光学系４からの露光光であってもその全てが受光素子２３まで到達し、これにより高精度な計測が可能となる。
【００９５】
次に、図１１を参照しながらウエハの露光について説明する。ウエハを露光する際には、まず、あらかじめ感光剤を塗布してあるウエハ２を不図示のウエハ搬送装置によりウエハチャック８上にセットする。ウエハチャック８上に載せられたウエハ２は、バキューム吸着等の吸着法によって固定され、平面矯正される。次に、フォーカス計測装置１９、２０によりウエハ２の全面についてフォーカス及びチルトに関する計測を行ないつつ微動ステージ９の位置を制御しながら露光を行なう。
【００９６】
ウエハ２の露光が終了すると、不図示のウエハ搬送装置によりウエハチャック９上からウエハ２を回収し、一連の露光動作が終了する。センサユニット２７の動作は、第１実施形態において説明した通りである。また、センサユニット２７の構成としては、第１〜第４実施形態として例示的に説明された構成を採用しうる。また、第５実施形態についても、液体供給装置１２、液体回収装置１１とそれぞれ接続する経路（送液管４２、５２）を除去した構成を採用することができる。
【００９７】
［第７実施形態］
第１〜第６実施形態として例示的に説明したセンサユニットの遮光部材２８は、用途に応じたパターン又は構造に変更されうるし、特定の用途においては除去されてもよい。また、封止窓は、例えば、基準マークパターン等のパターンを含んで構成されてもよい。すなわち、封止窓の他に遮光部材を設けるのではなく、封止窓自体がパターン（遮光部材）を有してもよい。また、封止窓は、板形状の他、種々の形状に変更されてもよい。
【００９８】
また、センサユニットに使用される受光素子の種類は、特定のものに限定されず、単一のフォトダイオードで構成されてもよいし、一次元や二次元ＣＣＤ等のリニア又はエリアセンサとし構成されてもよいし、他の形式で構成されてもよい。
【００９９】
［応用例］
次に、上記の露光装置を利用した半導体デバイスの製造プロセスを説明する。図１４は、半導体デバイスの全体的な製造プロセスのフローを示す図である。ステップ1（回路設計）では半導体デバイスの回路設計を行なう。ステップ2（マスク作製）では設計した回路パターンに基づいてマスクを作製する。一方、ステップ3（ウエハ製造）ではシリコン等の材料を用いてウエハを製造する。ステップ4（ウエハプロセス）は前工程と呼ばれ、上記のマスクとウエハを用いて、リソグラフィ技術によってウエハ上に実際の回路を形成する。次のステップ5（組み立て）は後工程と呼ばれ、ステップ4によって作製されたウエハを用いて半導体チップ化する工程であり、アッセンブリ工程（ダイシング、ボンディング）、パッケージング工程（チップ封入）等の組み立て工程を含む。ステップ6（検査）ではステップ5で作製された半導体デバイスの動作確認テスト、耐久性テスト等の検査を行なう。こうした工程を経て半導体デバイスが完成し、これを出荷（ステップ7）する。
【０１００】
図１５は、上記ウエハプロセスの詳細なフローを示す図である。ステップ11（酸化）ではウエハの表面を酸化させる。ステップ12（ＣＶＤ）ではウエハ表面に絶縁膜を成膜する。ステップ13（電極形成）ではウエハ上に電極を蒸着によって形成する。ステップ14（イオン打込み）ではウエハにイオンを打ち込む。ステップ15（レジスト処理）ではウエハに感光剤を塗布する。ステップ16（露光）では上記の露光装置によって回路パターンをウエハに転写する。ステップ17（現像）ではパターンが転写されたウエハ上の感光剤を現像する。ステップ18（エッチング）では現像で残ったレジスト像の開口部を通してエッチングを行う。ステップ19（レジスト剥離）ではエッチングが済んで不要となったレジストを取り除く。これらのステップを繰り返し行なうことによって、ウエハ上に多重に回路パターンを形成する。
【図面の簡単な説明】
【０１０１】
【図１】本発明の第１実施形態に係る液浸式投影露光装置の概略構成を示す図である。
【図２】センサユニットの構成例を概略的に示す図である。
【図３】センサユニットに適用されうるピンホールパターンを例示的に示す図である。
【図４】センサユニットに適用されうる複数のバーで構成されるパターンを例示的に示す図である。
【図５】センサユニットの他の構成例を概略的に示す図である。
【図６】本発明の第２実施形態のセンサユニットの概略構成を示す図である。
【図７】本発明の第３実施形態のセンサユニットの概略構成を示す図である。
【図８】本発明の第４実施形態のセンサユニットの概略構成を示す図である。
【図９】本発明の第５実施形態のセンサユニットの概略構成を示す図である。
【図１０】本発明の第１実施形態に係る液浸式投影露光装置の概略構成を示す図である。
【図１１】本発明の第６実施形態に係る投影露光装置の構成を概略的に示す図である。
【図１２】従来の光量センサユニットの構成を概略的に示す図である。
【図１３】液浸の効果を説明するためのセンサユニットの断面図である。
【図１４】半導体デバイスの全体的な製造プロセスのフローを示す図である。
【図１５】ウエハプロセスの詳細なフローを示す図である。
【符号の説明】
【０１０２】
１：レチクル、２：ウエハ、３：照明光学系、４：投影光学系、５：レチクルステージ、６：アライメント光学系、７：光学素子、８：ウエハチャック、９：微動ステージ、１０：ＸＹステージ、１１：液体回収装置、１２：液体供給装置、１３、１４：参照ミラー、１５：ＸＹステージ用レーザ干渉計、１６：レチクルステージ用レーザ干渉計、１７：ＸＹステージ駆動用モータ、１８：レチクルステージ駆動用モータ、１９、２０：フォーカス計測装置、２１：封止窓、２２：センサ容器、２３：受光素子、２４：不活性液体、２５：液浸用液体、２６：コントローラ、２７：センサユニット（光量センサユニット等）、２８：遮光部材、２９：Ｏリング、３０：タンク、３１：輸送ポンプ、３２：センサ容器、３３：コーティング部材、３４：センサ容器に充填された液体
【図１】
2005223275.tif 000003
【図２】
2005223275.tif 000004
【図３】
2005223275.tif 000005
【図４】
2005223275.tif 000006
【図５】
2005223275.tif 000007
【図６】
2005223275.tif 000008
【図７】
2005223275.tif 000009
【図８】
2005223275.tif 000010
【図９】
2005223275.tif 000011
【図１０】
2005223275.tif 000012
【図１１】
2005223275.tif 000013
【図１２】
2005223275.tif 000014
【図１３】
2005223275.tif 000015
【図１４】
2005223275.tif 000016
【図１５】
2005223275.tif 000017